(57)【要約】【課題】受皿等の移動受体の摺動性を向上させ、移動受体を出し入れする際に違和感の無い加熱調理器等の収容機器を提供することを目的としている。【解決手段】収容庫１０の底面一部に、移動受体１２の底面と収容庫１０との摺動摩擦力を軽減するスペーサー１６を設け、移動受体１２が沿うレール１３の下面は、移動受体１２とレール１３との摺動摩擦力を軽減する摺動部材２３で形成したものである。これにより、スペーサー１６および摺動部材２３により、移動受体１２が摺動する際、収容庫１０に当接する主要部分における摩擦が大幅に軽減され摺動性が向上し、違和感の無い取り扱いができるものである。【選択図】図３
2005300086.tif 000002
【特許請求の範囲】
【請求項１】
外郭を形成する本体と、この本体の前面に開口部を形成した収容庫と、この収容庫の内側面に形成したレールの下面に沿って収容庫から出し入れ自在な移動受体とを有し、前記収容庫の底面一部に、移動受体の底面と収容庫との摺動摩擦力を軽減するスペーサーを設け、前記レールの下面は、移動受体とレールとの摺動摩擦力を軽減する摺動部材で形成した収容機器。
【請求項２】
収容庫の内側面の移動受体と当接する面を第二の摺動部材で形成した請求項１に記載の収容機器。
【請求項３】
外郭を形成する本体と、この本体の前面に開口部を形成した収容庫と、この収容庫の内側面に形成したレールの下面に沿って収容庫から出し入れ自在な移動受体とを有し、前記収容庫の底面一部に、移動受体の底面と収容庫との摺動摩擦力を軽減するスペーサーを設け、前記移動受体のレールに当接する面に、移動受体とレールとの摺動摩擦力を軽減する第二のスペーサーを設けた収容機器。
【請求項４】
第二のスペーサーは、レール下面との当接部近傍を頂点とする略円弧断面形状とした請求項３に記載の収容機器。
【請求項５】
移動受体の収容庫の内側面との当接部に第三のスペーサーを設けた請求項３または４に記載の収容機器。
【請求項６】
スペーサーおよび摺動部材はフッ素樹脂で構成した請求項１〜５のいずれか１項に記載の収容機器。
【請求項７】
スペーサーおよび摺動部材のフッ素樹脂にはグラファイトを充填した請求項６に記載の収容機器。
【発明の詳細な説明】
【技術分野】
【０００１】
本発明は、加熱調理器や食器洗い機等の引き出し機構を持った収容機器に関するものである。
【背景技術】
【０００２】
従来、収容機器のうち、例えば、加熱調理器においては、調理庫内面がステンレス生地のもの、ホーロー加工したもの、あるいはフッ素加工したものが多い。加熱調理をする際に受皿の出し入れを行うが、調理庫内面がステンレス生地のものやホーロー加工したものにおいては、調理中に発生する油が調理庫内面になじむまでは、受皿表面に対する摩擦が大きく、ガタガタする、滑りが悪い等の違和感があった。一方、フッ素加工したものにおいては、摩擦が小さいため調理中に発生する油が調理庫内面になじまなくても受皿の滑りが良いが、フッ素自身が軟質材料であるため表面に傷が入りやすく、調理庫を形成する鉄板材料の腐食の原因となっていた。このような、傷付きを解決するため、加熱調理器には受皿に当接する調理庫内面の一部に溶融点が高く、且つ、耐磨耗性の高い物質からなるスペーサーを設けたものがある（例えば、特許文献１参照）。
【０００３】
この従来の加熱調理器は、調理庫内にフッ素加工を施したものであっても、受皿を調理庫から取り出すとき、溶融点が高く耐磨耗性の高い物質、例えば、ステンレス等からなるスペーサーを設けているので、調理庫内面を傷つけることを防ぎ腐食を防止することができるものであった。
【特許文献１】特許第２９５３８７１号公報
【発明の開示】
【発明が解決しようとする課題】
【０００４】
しかしながら、前記従来の加熱調理器では、受皿に対する摩擦係数が高いものをスペーサー材料として使用すれば、調理庫内面がフッ素加工されていても、受皿の摺動性は悪くなるものであった。
【０００５】
本発明は、前記従来の課題を解決するもので、受皿等の移動受体の摺動性を向上させ、移動受体を出し入れする際に違和感の無い加熱調理器等の収容機器を提供することを目的としている。
【課題を解決するための手段】
【０００６】
前記従来の課題を解決するために、本発明の収容機器は、収容庫の底面一部に、移動受体の底面と収容庫との摺動摩擦力を軽減するスペーサーを設け、移動受体が沿うレールの下面は、移動受体とレールとの摺動摩擦力を軽減する摺動部材で形成したものである。
【０００７】
これにより、スペーサーおよび摺動部材により、移動受体が摺動する際、収容庫に当接する主要部分における摩擦が大幅に軽減され摺動性が向上し、違和感の無い取り扱いができるものである。
【０００８】
また、本発明の収容機器は、収容庫の底面一部に、移動受体の底面と収容庫との摺動摩擦力を軽減するスペーサーを設け、移動受体のレールに当接する面に、移動受体とレールとの摺動摩擦力を軽減する第二のスペーサーを設けたものである。
【０００９】
これにより、スペーサーおよび第二のスペーサーにより、移動受体が摺動する際、収容庫に当接する主要部分における摩擦が大幅に軽減され摺動性が向上し、違和感の無い取り扱いができると同時に、小さなスペーサー部材で所期の目的が達成できるものである。
【発明の効果】
【００１０】
本発明の収容機器は、移動受体の摺動性を向上させ、移動受体を出し入れする際に違和感の無いものとすることができる。
【発明を実施するための最良の形態】
【００１１】
第１の発明は、外郭を形成する本体と、この本体の前面に開口部を形成した収容庫と、この収容庫の内側面に形成したレールの下面に沿って収容庫から出し入れ自在な移動受体とを有し、前記収容庫の底面一部に、移動受体の底面と収容庫との摺動摩擦力を軽減するスペーサーを設け、前記レールの下面は、移動受体とレールとの摺動摩擦力を軽減する摺動部材で形成した収容機器としたことにより、スペーサーおよび摺動部材により、移動受体が摺動する際、収容庫に当接する主要部分における摩擦が大幅に軽減され摺動性が向上し、違和感の無い取り扱いができるものである。
【００１２】
第２の発明は、特に、第１の発明において、収容庫の内側面の移動受体と当接する面を第二の摺動部材で形成したことにより、移動受体が移動する際の横方向の摩擦力を軽減することができ、摺動性が一層向上し、さらに違和感の無い取り扱いができるものである。
【００１３】
第３の発明は、外郭を形成する本体と、この本体の前面に開口部を形成した収容庫と、この収容庫の内側面に形成したレールの下面に沿って収容庫から出し入れ自在な移動受体とを有し、前記収容庫の底面一部に、移動受体の底面と収容庫との摺動摩擦力を軽減するスペーサーを設け、前記移動受体のレールに当接する面に、移動受体とレールとの摺動摩擦力を軽減する第二のスペーサーを設けた収容機器したことにより、スペーサーおよび第二のスペーサーにより、移動受体が摺動する際、収容庫に当接する主要部分における摩擦が大幅に軽減され摺動性が向上し、違和感の無い取り扱いができると同時に、小さなスペーサー部材で所期の目的が達成できるものである。
【００１４】
第４の発明は、特に、第３の発明において、第二のスペーサーは、レール下面との当接部近傍を頂点とする略円弧断面形状としたことにより、移動受体を収容庫内に挿入する際に移動受体の上面端部がレールに当たる瞬間の衝撃を、略円弧断面形状のスペーサーで緩和することができるため、移動受体を挿入する際の摺動性を一層向上させることができ、さらに滑りのよい移動受体とすることができるものである。
【００１５】
第５の発明は、特に、第３または第４の発明において、移動受体の収容庫の内側面との当接部に第三のスペーサーを設けたことにより、移動受体が摺動する際の横方向の摩擦力を小さな部材で軽減することができるため、安価な構成で移動受体の摺動性が一層向上するものである。
【００１６】
第６の発明は、特に、第１〜第５のいずれか１つの発明において、スペーサーおよび摺動部材はフッ素樹脂で構成したことにより、スペーサーおよび摺動部材の移動受体やレールに対する摩擦係数が大幅に低減し、移動受体の摺動性を一層向上させることができるものである。
【００１７】
第７の発明は、特に、第６の発明において、スペーサーおよび摺動部材のフッ素樹脂にはグラファイトを充填したことにより、スペーサー自体の耐磨耗性が向上し、長期間使用しても移動受体の摺動性を十分に保つことのできるものである。
【００１８】
以下、本発明の実施の形態について、図面を参照しながら説明する。なお、この実施の形態によって本発明が限定されるものではない。
【００１９】
（実施の形態１）
図１〜図４は、本発明の実施の形態１における収容機器の一例である加熱調理器を示すものである。
【００２０】
図１に示すように、外郭を形成する本体１の上部には、内部に誘導加熱コイルを有し上面をセラミックプレート２で形成したトップヒーター部３が設けられており、このトップヒーター部３の前部には、液晶タイプの表示部４や操作スイッチ５を具備する操作部６が設けられている。前記本体１内部の左半分は、魚や肉などを焼いて調理するためのロースター部７で構成されており、右半分は多くの電子部品を備えた回路基盤や、外部の空気を本体１内に送り、誘導加熱コイルや電子部品等を冷却するための送風装置等を具備する回路部８で構成されている。回路部８の前面には、加熱調理器のメイン電源をＯＮ・ＯＦＦするための電源スイッチ９が設けられている。
【００２１】
図２は、加熱調理器のロースター部を形成する収容庫を示すものである。
【００２２】
調理室を構成する収容庫１０は、鉄板などの板材を板金加工したものの表面にホーロー加工を施した構成となっている。また、本体１の前面に開口部１１を形成しており、調理物の肉汁等を受けるための受皿等の移動受体１２はこの開口部１１から出し入れ自在にできるようになっている。前記開口部１１から挿入された移動受体１２は、収容庫１０の内側面に絞り加工で形成されたレール１３の下面に沿って収容庫１０内に収容される。収容庫１０内の底面には、同じく絞り加工で形成されたアンダーレール１４および突起部１５が設けられている。前記突起部１５の前部（開口部１１側）における収容庫１０の底面一部には、グラファイトが１５％充填されたフッ素樹脂からなるスペーサー１６がはめ込まれ、移動受体１２の底面と収容庫１０との摺動摩擦力を軽減している。
【００２３】
図３は、ロースター部の要部を示しており、突起部１５は開口部１１方向に向かって高くなる傾斜面１７を有している。突起部１５の頂点高さは、スペーサー１６の頂点高さよりも低い位置にあり、アンダーレール１４よりも高い位置にある。移動受体１２の摺動方向におけるスペーサー１６の断面形状は、移動受体１２との当接部１８近傍を頂点とする略円弧断面形状となっている。レール１３の下面（移動受体１２との当接面）は、移動受体１２が矢印方向に摺動する際に生じる摩擦力を軽減するための摺動部材２３で形成されており、収容庫１０の内側面の移動受体１２に当接する面は、同じく摺動摩擦力を軽減する第二の摺動部材２４で形成している。前記摺動部材２３および第二の摺動部材２４は、前記スペーサー１６と同じくグラファイトが１５％充填されたフッ素樹脂からなる。なお、本実施の形態では摺動部材２３および第二の摺動部材２４は一体構成されたものを使用している。
【００２４】
図４は、収容庫１０内に移動受体１２が収納された状態を示すものであり、収納された状態では、移動受体１２はアンダーレール１４上に乗った状態となる。このとき、移動受体１２の底面端部１９は突起部１５よりも後方に位置しているため、移動受体１２は突起部１５やスペーサー１６に乗り上げた状態になっていない。また、移動受体１２はドア支持金具２０によりドア２１に接続されており、ドア２１に設けた取っ手２２を引いたり押したりすることにより、移動受体１２の出し入れができる。
【００２５】
以上のように構成された収容機器について、以下その動作、作用を説明する。
【００２６】
加熱調理器の場合、実用上の設置高さは、置台によって決定されるがその設置高さは人間のほぼ腰の位置程度である。この状態において、使用者が調理を行うために調理物を入れる時や、調理途中で調理物の出来上がり状態を確認するときは、図４に示す取っ手２２を引いて移動受体１２を収容庫１０内から引き出し、その後、取っ手２２を押して移動受体１２を収容庫１０内に収納するといった動作を行う。その過程で移動受体１２は、図３に示すように、収容庫１０の開口部１１付近のレール１３で上規制され、収容庫１０底面の開口部１１近傍に設けたスペーサー１６を押し付けながら斜め下方に傾いた状態で摺動する。
【００２７】
上記構成により、移動受体１２の底面は摩擦係数の低く滑り性が良好なフッ素樹脂からなるスペーサー１６の上を摺動し、移動受体１２の上面はレール１３の下面を形成する同じくフッ素樹脂からなる摺動部材２３面を摺動し、さらに、移動受体１２の側面は収容庫１０の内側面のフッ素樹脂からなる第二の摺動部材２４上を摺動する。したがって、移動受体１２はホーロー加工された収容庫１０内面に直接接触することが無いため、摺動抵抗が大幅に軽減され、移動受体１２を出し入れする際にガタガタする、滑りが悪いといった違和感が無くなるものである。また、長期の使用によってスペーサー１６が磨耗してしまった場合においては、スペーサー１６の次に高い突起部１５で移動受体１２を受けることとなる。この場合、加熱調理器ではすでに調理物から発生する油が収容庫１０内面になじんでいるため、突起部１５の表面も新品当初よりも滑り性が向上しており、移動受体１２の摺動性が損なわれることが無い。したがって、突起部１５はスペーサー１６の磨耗時におけるバックアップの効果を有するものである。
【００２８】
また、スペーサー１６は収容庫１０底面の開口部１１近傍に設けられており、突起部１５はアンダーレール１４からスペーサー１６に向かって緩やかに高くなる傾斜面１７を有している。移動受体１２の収納時はアンダーレール１４上に移動受体１２が乗った状態であり、移動受体１２の底面端部１９は突起部１５よりも後方に位置しているため、移動受体１２は突起部１５やスペーサー１６に乗り上げない安定した状態を保てる。一方、移動受体１２を収納状態から引き出す場合は、移動受体１２の底面端部１９がスペーサー１６に乗り上げる前に突起部１５に設けた傾斜面１７により引き上げられるため、底面端部１９がスペーサー１６に乗り上げる際の衝撃が緩和される。
【００２９】
上記構成により、本実施の形態では、移動受体１２を引き出す瞬間の摺動性を向上させることができ、一層、移動受体１２の滑りのよい収容機器を提供することができるものである。
【００３０】
また、図３に示すように、スペーサー１６の断面形状は移動受体１２との当接部１８近傍を頂点とし、摺動方向に略円弧を描いた略円弧断面形状となっており、収納された移動受体１２を引き出す際に移動受体１２の底面端部１９がスペーサー１６に乗り上げる瞬間の衝撃を、スペーサー１６自体の表面で緩和することができるため、より一層、移動受体１２の滑りのよい収容機器を提供することができるものである。
【００３１】
また、スペーサー１６、摺動部材２３および第二の摺動部材２４の材料はフッ素樹脂にグラファイトを充填したものとなっているため、フッ素樹脂の有する滑り性を損なうことなく、グラファイトにより耐磨耗性が向上しており、長期間使用しても移動受体１２の摺動性を十分に保つことのできるものである。
【００３２】
（実施の形態２）
図５は、本発明の実施の形態２における収容機器の要部を示すものである。実施の形態１と同一要素については同一符号を付して説明を省略する。
【００３３】
図に示すように、本実施の形態においては、移動受体１２のレール１３に当接する面に、移動受体１２とレール１３との摺動摩擦力を軽減するための第二のスペーサー２５が設けてあり、移動受体１２の収容庫１０内側面への当接面には第三のスペーサー２６が設けてある。前記第二のスペーサー２５および第三のスペーサー２６は、収容庫１０底面に設けられたスペーサー１６と同じくグラファイトが１５％充填されたフッ素樹脂からなる。また、前記第二のスペーサー２５の移動受体１２摺動方向における断面形状は、レール１３下面との当接部近傍を頂点とする略円弧断面形状２７となっている。なお、本実施の形態では、第二のスペーサー２５および第三のスペーサー２６は一体構成されたものを使用している。また、本実施の形態では、スペーサー２５、２６を有するものであるため、実施の形態１における摺動部材２３、２４は不要である。
【００３４】
以上のように構成された収容機器について、以下その動作、作用を説明する。
【００３５】
移動受体１２を収容庫１０から出し入れする場合の動作は実施の形態１において説明した通りである。すなわち、移動受体１２の底面は摩擦係数の低く滑り性が良好なフッ素樹脂からなるスペーサー１６の上を摺動し、移動受体１２の上面は移動受体１２自身に固定された同じくフッ素樹脂からなる第二のスペーサー２５を介してレール１３上を摺動し、さらに移動受体１２の側面は移動受体１２自身に固定された同じくフッ素樹脂からなる第三のスペーサー２６を介して収容庫１０内側面上を摺動する。したがって、移動受体１２はホーロー加工された収容庫１０内面に直接接触することが無いため、摺動抵抗が大幅に軽減され、移動受体１２を出し入れする際にガタガタする、滑りが悪いといった違和感が無くなるものである。また、摺動する移動受体１２側に第二のスペーサー２５および第三のスペーサー２６を設けているため、小さな部材で構成でき、安価な構成で移動受体１２の摺動性を向上させることができるものである。
【００３６】
また、第二のスペーサー２５をレール１３下面との当接部近傍を頂点とする略円弧断面形状２７を移動受体１２の摺動方向に有する構成としたことにより、収納された移動受体１２を収容庫１０内に挿入する際に移動受体１２の上面端部がレール１３に当たる瞬間の衝撃を、略円弧断面形状のスペーサー表面で緩和することができるため、移動受体１２を挿入する際の摺動性を一層向上させることができ、一層移動受体１２の滑りのよい収容機器を提供することができるものである。
【００３７】
また、スペーサー１６、第二のスペーサー２５および第三のスペーサー２６の材料はフッ素樹脂にグラファイトを充填したものとなっているため、フッ素樹脂の有する滑り性を損なうことなく、グラファイトにより耐磨耗性が向上しており、長期間使用しても移動受体１２の摺動性を十分に保つことのできる収容機器を提供することができるものである。
【００３８】
なお、上記した各実施の形態１、２では、ロースターを有する加熱調理器について説明したが、これに限らず、引き出し機構を持った収容機器において応用できるものである。
【産業上の利用可能性】
【００３９】
以上のように、本発明にかかる収容機器は、移動受体の摺動性を向上させ、移動受体を出し入れする際に違和感の無いものとすることができるので、加熱調理器のみならず、食器洗い機や、システムキッチン等に適用できる。
【図面の簡単な説明】
【００４０】
【図１】本発明の実施の形態１における収容機器としての加熱調理器を示す斜視図
【図２】同加熱調理器における収容庫の斜視図
【図３】同加熱調理器における移動受体の引き出し時の部分断面図
【図４】同加熱調理器における移動受体の収納時の部分断面図
【図５】本発明の実施の形態２における収容機器の移動受体を示す要部斜視図
【符号の説明】
【００４１】
１  本体
１０  収容庫
１１  開口部
１２  移動受体
１３  レール
１６  スペーサー
２３  摺動部材
２４  第二の摺動部材
２５  第二のスペーサー
２６  第三のスペーサー
２７  略円弧断面形状
【図１】
2005300086.tif 000003
【図２】
2005300086.tif 000004
【図３】
2005300086.tif 000005
【図４】
2005300086.tif 000006
【図５】
2005300086.tif 000007